(57)【要約】【課題】小型管理機の抵抗棒を折り畳み自在としたことにより、小型管理機の方向転換及び移動を容易にするとともに作業者の安全性を高めることを目的とする。【解決手段】小型管理機の後部に、耕耘作業時に耕土中に差し込まれて抵抗作用を持たせる抵抗棒を取り付けた構成において、上記抵抗棒を折り畳み自在としたことによって小型管理機の方向転換及び移動を容易にした小型管理機の抵抗棒を基本構成としている。具体的には、小型管理機の機枠１１に抵抗棒本体１２を回動可能に支持し、該機枠１１と抵抗棒本体１２との間に、耕耘時には抵抗棒本体１２を使用状態に保持するとともに、小型管理機の後進時には前進方向に回動させる付勢力を持つスプリング１３を張架してある。【選択図】　　　図１
0003099176.tif 000002
【実用新案登録請求の範囲】
【請求項１】
小型管理機の後部に、耕耘作業時に耕土中に差し込まれて抵抗作用を持たせる抵抗棒を取り付けた構成において、
上記抵抗棒を折り畳み自在としたことによって小型管理機の方向転換及び移動を容易にしたことを特徴とする小型管理機の抵抗棒。
【請求項２】
小型管理機の後部に、耕耘作業時に耕土中に差し込まれて抵抗作用を持たせる抵抗棒を取り付けた構成において、
小型管理機の機枠に抵抗棒本体を回動可能に支持し、該機枠と抵抗棒本体との間に、耕耘時には抵抗棒本体を使用状態に保持するとともに、小型管理機の後進時には前進方向に回動させる付勢力を持つスプリングを張架したことを特徴とする小型管理機の抵抗棒。
【請求項３】
前記機枠は抵抗棒本体が挿脱可能な二股部と支柱部とによって構成され、該二股部に抵抗棒本体を挿入して、該抵抗棒本体の上端部近傍に貫通形成されたピン挿通孔を機枠の二股部に形成されたピン挿通孔に合わせて、抵抗棒支持ピンを用いて掛け止めすることによって抵抗棒本体を機枠に対して回動可能に支持した請求項１又は２に記載の小型管理機の抵抗棒。
【考案の詳細な説明】
【０００１】
【考案の属する技術分野】
本考案は小型管理機の抵抗棒に関し、特には作業爪により耕土の耕耘作業や代掻き作業を行う耕運機等小型管理機の抵抗棒を折り畳み自在とすることにより、小型管理機の方向転換及び移動を容易にした構成に関するものである。
【０００２】
【従来の技術】
従来から用いられている小型管理機、例えば歩行型の耕運機として、例えば図４に示したように耕耘爪１を有する軸２をエンジン３により回転させることによって自走させ、作業者が機枠４上に固定したハンドル５を手で把持して耕土の耕耘作業や代掻き作業を行っている。機枠４の後部には抵抗棒６が取り外し可能に配備されていて、耕耘作業時には該抵抗棒６を土中に差し込んで抵抗作用を持たせ、耕耘作業の実効性を上げる手段が採られている。
【０００３】
上記に関して特許文献１には、歩行型の管理作業機において、機体後部に下部が土壌に接地して進行する抵抗棒を設け、この抵抗棒と機枠との間に抵抗棒の地面に対する傾斜角度と地面から上下高さが同時に変更調節され得る風節機構を設けた構成が記載されている。
【０００４】
【特許文献１】
実開昭６２−１１６６０６号公報
【０００５】
【考案が解決しようとする課題】
前記抵抗棒６は耕運機の前進による耕耘作業時には必要であるが、耕運機の方向転換とか移動時には不要であって、特に移動時には機枠４から抵抗棒６を取り外し、移動後に再度取り付けるという煩瑣な作業を必要とする課題がある。
【０００６】
更に傾斜地の耕耘作業時には、上方から下方に向けて耕地して下端に達した際に、一定距離だけ直線的に後進しないと左右に転回することができないので、作業者はハンドル５を大きく持ち上げて抵抗棒６を耕土から抜き取り、耕運機を所定距離だけ後進させてから転回することが要求される。しかしながらハンドル５を大きく持ち上げた際に作業者の足の位置と耕運機の耕耘爪１との間隔が近くなるとともにブレーキ操作もしにくくなっており、しかも耕運機後進時の作業者の足が耕耘爪１に追いかけられる形となるため、作業者が足を滑らせた場合には耕運機に乗りかかられて怪我をする危険性がある。更に前記特許文献１に記載された歩行型の管理作業機の場合でも抵抗棒を容易に土中から引き抜くことができないので、移動時には機枠から抵抗棒を取り外さなければならないという問題が残っている。
【０００７】
そこで本考案は上記の問題点を解決して、前記抵抗棒を折り畳み自在としたことによって小型管理機の方向転換及び移動を容易にするとともに作業者の安全性を高めた小型管理機の抵抗棒を提供することを目的としている。
【０００８】
【課題を解決するための手段】
本考案は上記目的を達成するために、小型管理機の後部に、耕耘作業時に耕土中に差し込まれて抵抗作用を持たせる抵抗棒を取り付けた構成において、上記抵抗棒を折り畳み自在としたことによって小型管理機の方向転換及び移動を容易にした小型管理機の抵抗棒を基本構成としている。
【０００９】
具体的には、小型管理機の機枠に抵抗棒本体を回動可能に支持し、該機枠と抵抗棒本体との間に、耕耘時には抵抗棒本体を使用状態に保持するとともに、小型管理機の後進時には前進方向に回動させる付勢力を持つスプリングを張架してある。上記機枠は、抵抗棒本体が挿脱可能な二股部と支柱部とによって構成されており、該二股部に抵抗棒本体を挿入して、該抵抗棒本体の上端部近傍に貫通形成されたピン挿通孔を機枠の二股部に形成されたピン挿通孔に合わせて、抵抗棒支持ピンを用いて掛け止めすることによって抵抗棒本体を機枠に対して回動可能に支持している。
【００１０】
かかる小型管理機の抵抗棒によれば、本考案を歩行型の耕運機に適用して耕耘爪を回転させながら自走させる際には、抵抗棒本体が耕土中に差し込まれて抵抗作用を保持し、実効性を上げることができるとともに、方向転換のために該耕運機をやや後進させると、負荷の増加に伴って抵抗棒本体が耕土から自然に抜去されて前進方向に回動し、その姿勢を維持するので、耕運機を容易に転回することが可能であり、かつ、移動時には機枠から抵抗棒本体を取り外さなくてもよく、目的とする場所に容易に移動することができる。
【００１１】
【考案の実施の形態】
以下図面に基づいて、本考案にかかる小型管理機の抵抗棒の具体的な実施形態を説明する。本考案では小型管理機の後部に、耕耘作業時に耕土中に差し込まれて抵抗作用を持たせる抵抗棒を取り付けた構成において、上記抵抗棒を折り畳み自在としたことによって小型管理機の方向転換及び移動を容易にした小型管理機の抵抗棒を基本構成としている。
【００１２】
図１は本考案にかかる抵抗棒の組付け例を示す分解斜視図であり、図中の１１は機枠、１２は抵抗棒本体、１３はスプリングであり、この抵抗棒本体１２は略「く」字状に形成されており、上端部には操作桿１２ａが一体に固着されているとともに中間部にはスプリング支持用のブラケット１２ｂが固着されている。該抵抗棒本体１２の上端部近傍には、ピン挿通孔１２ｃが横方向に貫通形成されている。機枠１１は抵抗棒本体１２が挿脱可能な二股部１１ａと支柱部１１ｄとが一体に構成されていて、この二股部１１ａにはピン挿通孔１１ｂ，１１ｃが横方向に貫通形成されている。１４ａ，１４ｂはスプリング支持ピン、１５は抵抗棒支持ピンである。
【００１３】
そして機枠１１の二股部１１ａに抵抗棒本体１２を挿入して、該抵抗棒本体１２の上端部近傍に貫通形成されたピン挿通孔１２ｃを機枠１１の二股部１１ａに形成されたピン挿通孔１１ｃに合わせてから抵抗棒支持ピン１５を挿入してストッパを用いて掛け止めすることにより、図２に示したように抵抗棒本体１２が機枠１１に対して回動可能に支持される。更に二股部１１ａの上端部近傍に貫通形成されたピン挿通孔１１ｂ間ににスプリング支持ピン１４ａを挿通するとともに、抵抗棒本体１２の中間部に固着されたブラケット１２ｂにスプリング支持ピン１４ｂを挿通し、両スプリング支持ピン１４ａ，１４ｂ間にスプリング１３を張架する。図２に示す１６は本体取付用ブラケットであって、この本体取付用ブラケット１６の上下に貫通する取付孔１６ａ内に機枠１１の支柱部１１ｄを挿通してからボルト等の固定具１７，１７を用いて支柱部１１ｄを本体取付用ブラケットに固定する。そして該本体取付用ブラケット１６のボス部１６ｂ，１６ｃを図外の耕運機等の小型管理機の本体部に固定することによって本考案にかかる抵抗棒の組付けが完了する。
【００１４】
かかる小型管理機の抵抗棒によれば、例えば本考案を歩行型の耕運機に適用して耕耘爪をエンジンにより回転させて自走させ、作業者がハンドルを手で把持して耕土の耕耘作業や代掻き作業を行う際には、図２に示す抵抗棒本体１２が耕土中に差し込まれ、抵抗作用を保持して耕耘作業の実効性を上げることができる。この時に両スプリング支持ピン１４ａ，１４ｂ間に張架したスプリング１３の付勢力によって抵抗棒本体１２は図２の使用状態に維持される。
【００１５】
次に耕運機の前進による耕耘作業を一時停止して、方向転換のために該耕運機をやや後進させると、負荷の増加に伴って抵抗棒本体１２が耕土から自然に抜去されて、図３に示したように抵抗棒支持ピン１５を回動中心として矢印Ａ方向、即ち前進方向に回動するので、耕運機を容易に転回することができる。従って作業者は従来のようにハンドルを大きく上げて抵抗棒本体１２を耕地から抜き取った後、後進する操作は不要である。
【００１６】
更に上記の操作後はスプリング１３の付勢力によって抵抗棒本体１２が略水平位置に保持されているため、移動時でも機枠１１から抵抗棒本体１２を取り外さなくてもよく、目的とする場所に容易に移動することができる。なお、抵抗棒本体１２を使用状態に戻すには、抵抗棒本体１２の上端部に一体に固着された操作桿１２ａを上方に引き上げて該抵抗棒本体１２の姿勢を図２に示す位置に戻すことで再セットすればよい。
【００１７】
【考案の効果】
以上詳細に説明したように、本考案によれば小型管理機の自走時には抵抗棒本体が耕土中に差し込まれて抵抗作用を保持するとともに、小型管理機をやや後進させた際の負荷の増加に伴って抵抗棒本体が耕土から自然に抜去して前進方向に回動し、その姿勢を維持することにより小型管理機を容易に転回することが可能であり、しかも移動時でも機枠から抵抗棒本体を取り外すことなく目的とする場所に容易に移動することができる。特に移動時に機枠から抵抗棒を取り外して移動後に再度取り付けるという煩瑣な作業は必要としない。
【００１８】
更に傾斜地の耕耘作業時でも上方から下方に向けて耕地して、下端に達した際にやや後進するだけで抵抗棒本体が耕土から抜去されるので、従来のように作業者が小型管理機のハンドルを大きく持ち上げて抵抗棒を耕土から抜き取る作業は不要であり、しかも作業者の足が耕耘爪に追いかけられることもないので、作業者の安全性が高められるという効果がある。
【００１９】
従って本考案によれば、抵抗棒本体を折り畳み自在としたことによって小型管理機の方向転換及び移動を容易にするとともに作業者の安全性を高めた小型管理機の抵抗棒を提供することができる。
【図面の簡単な説明】
【図１】本考案にかかる抵抗棒の組付け例を示す要部分解斜視図。
【図２】本考案にかかる抵抗棒の組付け例を示す要部斜視図。
【図３】本考案の動作態様を示す要部斜視図。
【図４】従来の小型管理機の概要を示す側面図。
【符号の説明】
１１…機枠
１１ａ…二股部
１１ｄ…支柱部
１２…抵抗棒本体
１２ａ…操作桿
１３…スプリング
１４ａ，１４ｂ…スプリング支持ピン
１５…抵抗棒支持ピン
１６…本体取付用ブラケット
１７…固定具
整理番号　Ｕ３６５９
【図１】
0003099176.tif 000003
【図２】
0003099176.tif 000004
【図３】
0003099176.tif 000005
【図４】
0003099176.tif 000006